(57)【要約】  【課題】  ゴルファがゴルフボールを打撃する際に発生する打音、およびゴルファがゴルフボールを打撃した後に残る残響音を変化させることにより、ゴルファの好みに応じた打音および残響音を発することができるゴルフクラブヘッドを提供する。  【解決手段】  ゴルフボールを打撃するフェース部と、クラウン部、ソール部、トウ側サイド部およびヒール側サイド部からなる外殻とにより構成される中空構造のゴルフクラブヘッド４であって、外殻を構成するクラウン部、ソール部、トウ側サイド部およびヒール側サイド部のうち対向する２つの部分を連結する連結部１５を備える。この連結部１５は、ゴルフボールを打撃した際に、連結された２つの部分に生じる変位を拘束する。【選択図】  図２
2006192110.tif 000002
【特許請求の範囲】
【請求項１】
ゴルフボールを打撃するフェース部と、クラウン部、ソール部、トウ側サイド部およびヒール側サイド部からなる外殻とにより構成される中空構造のゴルフクラブヘッドであって、
外殻を構成するクラウン部、ソール部、トウ側サイド部およびヒール側サイド部のうち対向する２つの部分を連結する連結部を備え、
前記連結部は、ゴルフボールを打撃した際に、連結された前記２つの部分に生じる変位を拘束するゴルフクラブヘッド。
【請求項２】
前記連結部は、ゴルフボールを打撃した際に生じる変位を拘束するための押圧力を調整するための調整部をさらに備える請求項１に記載のゴルフクラブヘッド。
【請求項３】
前記連結部は、外殻のうち連結された前記２つの部分に対して作用する内側方向の変位を拘束する請求項１または２に記載のゴルフクラブヘッド。
【請求項４】
前記連結部は、外殻のうち連結された前記２つの部分に対して作用する外側方向の変位を拘束する請求項１または２に記載のゴルフクラブヘッド。
【請求項５】
前記連結部は、所望の共振周波数を有するように設定される振動体を形成する請求項４に記載のゴルフクラブヘッド。
【発明の詳細な説明】
【技術分野】
【０００１】
本発明は、ゴルファがゴルフクラブでゴルフボールを打撃した際に生じる打音や残響音を改善することができるゴルフクラブヘッドに関する。
【背景技術】
【０００２】
近年、ゴルフクラブの打球音は重要視されてきており、様々な改善提案がなされている。また、ゴルフクラブヘッドの大型化に伴い、打球音は大きくなる傾向にある。
加えて、打球時に聞こえる打球音は、ゴルフクラブヘッドの良し悪しだけではなく、打球動作や打球点の良し悪しなど様々な情報を打球者のみならず周囲のものにまで与えるものであるから、このような観点からも打球音の音色の重要性は増している。
【０００３】
打球音を改善する技術として、クラウン部の内面又はソール部の内面から隆起し、かつフェース部と略直交する向きにのびる複数本の線状突起を形成したゴルフクラブヘッドが提案されている（例えば、特許文献１参照。）。
特許文献１は、このゴルフクラブヘッドが、線状突起が打球時に中空部内で生じる空気の粗密波に積極的に共鳴、干渉を生じさせ残響音を長く響き渡らせ、打球音を向上させることを開示している。
【特許文献１】特開２００２−１２６１３６号公報
【発明の開示】
【発明が解決しようとする課題】
【０００４】
しかしながら、ゴルファによって打撃時の打音の増大や残響音が長く響くことを好ましくないと感じる人も存在する。そのようなゴルファは打撃音を抑えるためにウレタンなどをゴルフクラブヘッドの中に入れて振動を抑制している。特許文献１に従えば、残響音を増大させることができるに留まり、打音や残響音をゴルファの好みに応じて変化させることはできない。
【０００５】
本発明は、かかる問題点に鑑みてなされたものであり、ゴルファがゴルフボールを打撃する際に発生する打音、およびゴルファがゴルフボールを打撃した後に残る残響音を変化させることにより、ゴルファの好みに応じた打音および残響音を発することができるゴルフクラブヘッドを提供することを目的とする。
【課題を解決するための手段】
【０００６】
前記目的を達成するために、本発明は、ゴルフボールを打撃するフェース部と、クラウン部、ソール部、トウ側サイド部およびヒール側サイド部からなる外殻とにより構成される中空構造のゴルフクラブヘッドであって、外殻を構成するクラウン部、ソール部、トウ側サイド部およびヒール側サイド部のうち対向する２つの部分を連結する連結部を備え、前記連結部は、ゴルフボールを打撃した際に、連結された前記２つの部分に生じる変位を拘束するゴルフクラブヘッドを提供する。
連結部は、ゴルフボールを打撃した際に生じる変位を拘束するための押圧力を調整するための調整部をさらに備えることが好ましい。
また、連結部は、外殻のうち連結された前記２つの部分に対して作用する内側方向の変位を拘束してもよい。あるいは、連結部は、外殻のうち連結された前記２つの部分に対して作用する外側方向の変位を拘束してもよい。
さらに、連結部は、所望の共振周波数を有するように設定される振動体を形成することが好ましい。
【発明の効果】
【０００７】
本発明のゴルフクラブヘッドは、ゴルファがゴルフボールを打撃する際に発生する打音、およびゴルファがゴルフボールを打撃した後に残る残響音を変化させることができる。
そうすることにより、ゴルファの好みに応じた打音および残響音を発することができる。
【発明を実施するための最良の形態】
【０００８】
本発明のゴルフクラブヘッドについて、添付の図面に示す実施形態に基づいて詳細に説明する。
【０００９】
図１は、本発明のゴルフクラブヘッドを適用したゴルフクラブの第１実施形態の概略を示す斜視図である。
図１に示すように、本実施形態のゴルフクラブ１は、ゴルフクラブシャフト２と、ゴルフクラブシャフト２の一端を被覆するグリップ３と、前記ゴルフクラブシャフト２の他端に装着するゴルフクラブヘッド４とを備え、ゴルフクラブヘッド４はヒール側で上方に向けられて突設されたホーゼルにソケット５を介してゴルフクラブシャフト２に連結されている。
ゴルフクラブシャフト２は、その全長に亘って中空の円筒状体であり、軽量な繊維強化樹脂材、例えばカーボン繊維やガラス繊維などで強化した樹脂材により形成される。グリップ３は、ゴルファがゴルフクラブを把持する部分であり、例えばゴムや皮革などにより形成される。
本発明のゴルフクラブヘッド４は、ゴルフボールを打撃するフェース部と、クラウン部、ソール部、トウ側サイド部、およびヒール側サイド部からなる外殻とにより構成されるため、中空な構造である。
ゴルフクラブヘッド４のフェース部は、様々な金属材料、例えばステンレスや破壊強度が高いチタン合金などにより形成され、ゴルフクラブヘッド４のソール部やクラウン部はカーボン繊維強化樹脂材等の繊維強化樹脂材などにより形成される。
【００１０】
図２は、図１に示すゴルフクラブヘッドのＡ−Ａ断面の一例を示す図である。クラウン部は略中央に挿入孔を有し、挿入孔の内周面に段つき部１２を設けてあり、ソール部は貫通孔を有し、貫通孔の内面に段つき部１４が設けてある。
【００１１】
クラウン部の挿入孔とソール部の貫通孔を貫通する連結部１５は、連結部本体１６と締結部１８から構成される。
連結部本体１６はクラウン部の挿入孔から挿入され、ソール部の貫通孔から突出する。連結部本体１６のクラウン部側の端部には、頭部が設けられ、この頭部は挿入孔の段つき部１２と係合する。
一方、ソール部側の端部には、おねじ部が設けられ、このおねじ部は貫通孔から突出する。突出した連結部本体１６のおねじ部は、締結部１８のめねじ部と螺嵌し、貫通孔の段つき部１４と係合する。
【００１２】
連結部本体１６の頭部には、六角穴や十字穴などが設けられ（図示せず）、六角レンチやドライバなどの工具を用いて、連結部本体１６を回転させることによって、連結部本体１６は締結部１８とねじ締めされる。
連結部１５は、上述のように工具を用いて、連結部本体１６のおねじ部と、締結部１８のめねじ部とが、ねじ締めされることによって、ソール部をクラウン部の挿入孔方向に押圧する。これに応じて、連結部本体１６のおねじ部がクラウン部をソール部の貫通孔方向に押圧する。
換言すれば、連結部１５は、クラウン部とソール部に対して外向きの変位を拘束するように作用する。
【００１３】
図３および図４を参照して、連結部１５がクラウン部とソール部に対して外向きの変位を拘束することによる効果を説明する。
図３は、ゴルフボールを打撃した時のゴルフヘッドが発する打音の周波数波形を示す図であり、図３（ａ）は通常のゴルフクラブヘッドを用いた場合における周波数波形を示し、図３（ｂ）は連結部を有するゴルフクラブヘッドを用いた場合における周波数波形を示す。
図３（ａ）に示す場合には、４０００Ｈｚ付近に周波数のピークが現れるが、図３（ｂ）に示す場合には、４０００Ｈｚ付近の他に６０００Ｈｚ付近にもピークが現れ、４０００Ｈｚ付近のピーク値が減少している。つまり、連結部を有するゴルフクラブヘッドを用いた場合には、打撃時にゴルフクラブヘッドが発する打音の周波数のピーク値を抑えるとともに、ピークとなる周波数を変化させることができ、打音の音色を変化させることができる。
すなわち、ゴルフボールの打撃に伴うゴルフクラブヘッドの変位を拘束することで打撃時にゴルフヘッドが発する打音を調整することができる。
【００１４】
図４は、ゴルフクラブでゴルフボールを打撃した後の残響音の音圧振動波形を示す図であり、図４（ａ）は通常のゴルフクラブヘッドを用いた場合における音圧振動波形を示し、図４（ｂ）は連結部を有するゴルフクラブヘッドを用いた場合における音圧振動波形を示す。
音圧振動波形は、図４に示すように時間経過に伴って振幅が小さくなる減衰波形である。図４（ｂ）に示す場合は、図４（ａ）に示す場合と比較して振幅が減衰する時間が速く、ゴルファは残響音の響きを通常より短く感じる。
従って、ゴルフボールの打撃に伴うゴルフクラブヘッドの変位を拘束することで、打撃した後の残響音を短くすることができる。
【００１５】
以上のように、連結部によってクラウン部とソールに対して外向きの変位を拘束することで、ゴルファがゴルフクラブでゴルフボールを打撃した時に生じる振動を抑制して、ゴルフボールを打撃した時のゴルフヘッドが発する打音、およびゴルファがゴルフクラブでゴルフボールを打撃した後のゴルフクラブヘッドの残響音を変化させることができる。
【００１６】
なお、連結部１５では、クラウン部側の頭部とソール部側のおねじ部に、外向きの張力が加えられるため、連結部１５はこの張力に耐え得るだけの剛性を有した部材によって形成されればよく、チタン合金やステンレスなどゴルフクラブヘッドと同一な材質で構成されることが好ましいが、連結部の材質について特に限定はない。
連結部本体としては、六角穴付ボルトや十字穴付小ねじ等を挙げることができ、締結部としては、ナイロンナットやセルフロックナットの緩み止めナットなどを挙げることができる。
【００１７】
ところで、ゴルファがゴルフボールを打撃する際に発生する打音、あるいはゴルファがゴルフボールを打撃した後に残る残響音については、ゴルフクラブヘッドの振動モードや固有振動数が関係している。そこで、図５を参照して、振動モードや固有振動数について説明する。図５は従来のゴルフクラブヘッドの断面図を示す。
【００１８】
固有振動には複数のモードがあるが、一次の固有振動は、一番大きくゴルフクラブヘッドを振動させるので、打音や残響音に与える影響が他のモードに比較して大きいと考えられる。そこで、ゴルファがゴルフクラブでゴルフボールを打撃した際に生じる一次の固有振動を模式的に点線で示す。
【００１９】
ゴルフクラブヘッドはフェース部でゴルフボールを捉えるため、ゴルファがゴルフボールを打撃するとフェース部が振動するとともに、クラウン部およびソール部も振動する。つまり、ゴルフボールを打撃した瞬間、フェース部は凹むとともに、クラウン部およびソール部は凸起すると考えられる。そのため、クラウン部およびソール部の振動を調整することにより、ゴルフクラブヘッドの打音や残響音を変化することができる。
【００２０】
そこで、本実施形態のゴルフクラブヘッドは、連結部により、クラウン部とソール部に外側から押圧力を加えて、振動を抑制するようにクラウン部とソール部を拘束する。
そのため、ゴルファがゴルフクラブでゴルフボールを打撃した時のゴルフヘッドが発する打音、およびゴルファがゴルフクラブでゴルフボールを打撃した後のゴルフクラブヘッドの残響音は、従来のゴルフクラブを使用したときの打音また残響音と比較して変化する。
さらに、本実施形態のゴルフクラブヘッドは、クラウン部とソール部を拘束する連結部の押圧力を調整することができるために、ゴルファの好みに応じて打音や残響音を調整することができる。
【００２１】
上記第１実施形態では、連結部は、クラウン側に頭部を有し、ソール側におねじ部を有する連結部本体と、めねじ部を有する締結部から構成されるが、本発明はこれに限定されず、振動体を用いて連結部を構成してもよい。図６は、図１に示すゴルフクラブヘッドのＡ−Ａ断面の他の例を示す図である。
このような場合には、連結部１５は振動体２０と固定具２２，２４から構成され、固定具２２は、クラウン部の挿入孔内部の段つき部１２と係合し、固定具２４は、巻取り可能な構成であり、ソール部側の貫通孔内部の段つき部１４と係合する。
振動体２０は、クラウン側の固定具２２とソール側の固定具２４で両端を固定され、ソール側の巻き取り可能な固定具２４によって振動体は巻き取れて、張力（テンション）が調整される。
振動体とは、打撃によって励起される振動を効率的に持続できる物質で形成されるものであり、クラウン部とソール部から受ける張力に耐え得るものであればよい。振動体の材質としては、ピアノ線やギター弦などのスチール、ナイロンやワイヤなどが挙げられる。
このように連結部を振動体２０を用いて構成することにより、クラウン部とソール部に対して外向きの変位を拘束するとともに、フェース部の振動に共鳴して振動体も振動する。このため、ゴルフクラブヘッドの打撃時の打音、および打撃後の残響音を変化させることができ、さらに、巻き取り可能な固定具により振動体にかかる張力が調整できる。したがって、ゴルファの好みに応じた残響音に関する調整の自由度が向上する。
さらに、このような連結部は１つのみならず、複数個設けてもよい。そうすることにより、複数の振動体がそれぞれ振動し、和音を奏でるように残響音を調整することができる。
【００２２】
本発明のゴルフクラブヘッドについて、第２の実施形態に基づいて説明する。第１実施形態では、ゴルフクラブヘッドのクラウン部とソール部に外側から押圧力を加えて、クラウン部とソール部の外向きの変位を拘束した。
本発明の第２実施形態では、ゴルフクラブヘッドのクラウン部とソール部に内側から押圧力を加えて、クラウン部とソール部の内向きの変位を拘束する。同一の構成要素には同一の符号を付して、その詳細な説明は省略する。
【００２３】
図７は、本発明のゴルフクラブヘッドを適用したゴルフクラブ第２実施形態の概略を示す斜視図である。図８は、図７に示すゴルフクラブヘッドのＢ−Ｂ断面の一例を示す図である。
【００２４】
クラウン部は内部の略中央に凹部２６を設けてあり、ソール部は、挿入孔を有し、挿入孔の内面に段つき部２８を設けてある。
クラウン部の内部には、ソール部の挿入孔に対向する位置には凹部が設けられ、凹部に締結部が接することにより、連結部は位置決めされる。
ソール部は、略中央に挿入孔を有し、そこから六角レンチやドライバなどの工具が挿入される。また、挿入孔の内面に段つき部２８が設けてある。クラウン部は、ソール部の挿入孔に対抗する位置に凹部２６が設けられ、この凹部２６は連結部１５がその位置からずれることを抑制する。
【００２５】
連結部１５は、連結部本体１６と締結部１８から構成される。
連結部本体１６のソール部側の端部には、頭部が設けられる。連結部本体１６の頭部には、六角穴や十字穴などが設けられ（図示せず）、工具を用いて、挿入孔から連結部本体１６を回転させることによって、連結部本体１６はクラウン部を押圧するとともに、ジャッキアップのような作用を奏し、ソール部の段つき部１４を押圧する。
連結部本体１６のクラウン側の端部には、おねじ部が設けられ、このおねじ部は、締結部１８のめねじ部と螺嵌する。
【００２６】
締結部１８は、連結部本体１６のおねじ部と螺嵌し、凹部２６で位置決めされ、工具による連結部本体１６の回転に応じてクラウン部を内側から押圧する。
【００２７】
本実施形態では、連結部１５は、ソール部とクラウン部に接した状態から、工具により連結部本体がねじを緩める方向に回転されることによって、ソール部とクラウン部を外側に押圧する。
換言すれば、連結部１５は、クラウン部とソール部に対して内向きの変位を拘束するように作用する。
そうすることにより、上述したように、ゴルフボールの打撃に伴うゴルフクラブヘッドの変位を拘束し、打撃時の打音の周波数のピークを抑えたり、ピークとなる周波数を変化させたりするとともに、振幅の減衰時間を短くすることができる。
つまり、ゴルファがゴルフクラブでゴルフボールを打撃した時に生じる振動を抑制して、ゴルフボールを打撃した時のゴルフヘッドが発する打音、およびゴルファがゴルフクラブでゴルフボールを打撃した後のゴルフクラブヘッドの残響音を変化させることができる。
さらに、本実施形態のゴルフクラブヘッドは、クラウン部とソール部を拘束する連結部の押圧力を調整することができるために、ゴルファの好みに応じて打音や残響音を調整することができる。
【００２８】
上記実施の形態では、連結部はクラウン部とソール部を拘束したが、本発明のゴルフクラブヘッドはこれに限定されず、クラウン部、ソール部、トウ側サイド部、ヒール側サイド部のうち対向する２つの部分を連結して拘束してもよい。
【００２９】
なお、本発明のゴルフクラブは、上記実施の形態に限定されるものでなく、本発明の要旨を逸脱しない範囲において、各種の改良および変更を行ってもよいのはもちろんである。
【図面の簡単な説明】
【００３０】
【図１】本発明のゴルフクラブヘッドを適用したゴルフクラブの第１実施形態の概略を示す斜視図である。
【図２】図１に示すゴルフクラブヘッドのＡ−Ａ断面の一例を示す図である。
【図３】ゴルフボールを打撃した時のゴルフヘッドが発する打音の周波数波形を示す図である。
【図４】ゴルフクラブでゴルフボールを打撃した後の残響音の音圧振動波形を示す図である。
【図５】ゴルフボールを打撃した際に生じる一次の固有振動を説明するための模式図である。
【図６】図１に示すゴルフクラブヘッドのＡ−Ａ断面の他の例を示す図である。
【図７】本発明のゴルフクラブヘッドを適用したゴルフクラブの第２実施形態の概略を示す斜視図である。
【図８】図７に示すゴルフクラブヘッドのＢ−Ｂ断面の一例を示す図である。
【符号の説明】
【００３１】
１  ゴルフクラブ
２  ゴルフクラブシャフト
３  グリップ
４  ゴルフクラブヘッド
５  ソケット
１２  クラウン側の段つき部
１４、２８  ソール側の段つき部
１５  連結部
１６  連結部本体
１８  締結部
２０  振動体
２２、２４  固定具
２６  凹部
【図１】
2006192110.tif 000003
【図２】
2006192110.tif 000004
【図３】
2006192110.tif 000005
【図４】
2006192110.tif 000006
【図５】
2006192110.tif 000007
【図６】
2006192110.tif 000008
【図７】
2006192110.tif 000009
【図８】
2006192110.tif 000010